(57)【要約】【課題】大きな凹凸のある湾曲する木口面を極めて能率よく綺麗に平滑化する。極めて簡単な構造としながら、大きな凹凸のある湾曲する木口面をも綺麗に平滑化する。【解決手段】目止め剤の充填装置は、板材１の湾曲面であって凹凸のある木口面１Ａに目止め剤２を充填して、板材１の木口面１Ａを平滑にする。目止め剤の充填装置は、目止め剤２を吐出口４から加圧状態で押し出す加圧器３と、この加圧器３の吐出口４に連結してなる吸盤５とを備える。充填装置は、この吸盤５を木口面１Ａに密着させる状態で、木口面１Ａと吸盤５のいずれか又は両方を、吸盤５が木口面１Ａに沿って移動するように移動して、板材１の木口面１Ａに目止め剤２を塗布して平滑面とする。【選択図】図２
2010158847.tif 000002
【特許請求の範囲】
【請求項１】
板材(1)の湾曲面であって凹凸のある木口面(1A)に目止め剤(2)を充填して、板材(1)の木口面(1A)を平滑にする目止め剤の充填装置であって、
目止め剤(2)を吐出口(4)から加圧状態で押し出す加圧器(3)と、この加圧器(3)の吐出口(4)に連結してなる吸盤(5)とを備え、この吸盤(5)が木口面(1A)に密着される状態で、木口面(1A)と吸盤(5)のいずれか又は両方を、吸盤(5)が木口面(1A)に沿って移動するように移動して、板材１の木口面(1A)に目止め剤(2)を塗布して平滑面とするようにしてなる目止め剤の充填装置。
【請求項２】
前記木口面(1A)に凹凸のある板材(1)がパーチクルボードである請求項１に記載される目止め剤の充填装置。
【請求項３】
前記加圧器(3)が、目止め剤(2)を充填してなる加圧タンク(6)と、この加圧タンク(6)に加圧空気を供給するコンプレッサ(7)と、加圧タンク(6)に連結してなる開閉弁(8)を設けてなるグリップ(9)とを備え、グリップ(9)の先端部に設けた吐出口(4)に吸盤(5)を連結している請求項１に記載される目止め剤の充填装置。
【発明の詳細な説明】
【技術分野】
【０００１】
本発明は、凹凸があって湾曲する板材の木口面に目止め剤を充填して平滑面とする目止め剤の充填装置に関する。
【背景技術】
【０００２】
板材の木口面は凹凸面となっている。凹凸のある木口面は、表面を綺麗な木目模様などで表面処理できず、また、塗装などによっても綺麗に表面処理できない。天然の木材は、木口面に導管が表出して凹凸面となる。また、パーチクルボードのように低コストな板材は木口面の凹凸が大きく、製品として使用するためには平滑面に加工している。木材を繊維状に分散して板状に加工しているＭＤＦは、パーチクルボードに比較して木口面を平滑にできるが、パーチクルボードに比較して加工コストが高くなる欠点がある。パーチクルボードは極めて安価であるが、木口面に大きな凹凸ができることから、木口面の平滑化にコストがかかる欠点がある。また、天然の板材やＭＤＦも、切断した木口面は表面よりも凹凸があって、平滑化する処理を必要とする。
【０００３】
木口面は、表面に目止め剤を充填して平滑化できる。（特許文献１参照）
ところが、木口面に目止め剤を充填して平滑化するのに相当に手間がかかる。とくに、湾曲する木口面は平滑化するために極めて手間がかかる。湾曲する木口面に目止め剤を充填する装置として、本発明者は、ペースト状の目止め剤を加圧して押し出すノズルの先端にブラシを連結している充填装置を開発した。この充填装置は、ノズルから押し出される目止め剤を、ブラシして凹凸面に擦り込んで充填した後、表面を平滑に均して、湾曲する木口面を平滑化する。このため、湾曲して凹凸のある木口面を平滑化するのに手間がかかる欠点があった。とくに、パーチクルボードのように、大きな凹凸のある木口面の平滑化には、全ての凹部に確実に目止め剤を充填して平滑化することから、極めて手間がかかっていた。
【先行技術文献】
【特許文献】
【０００４】
【特許文献１】実開昭６２−１０４９３４号公報
【発明の概要】
【発明が解決しようとする課題】
【０００５】
本発明は、以上の欠点を解決することを目的に開発されたものである。本発明の重要な目的は、大きな凹凸のある湾曲する木口面を極めて能率よく綺麗に平滑化できる目止め剤の充填装置を提供することにある。
また、本発明の他の大切な目的は、極めて簡単な構造としながら、大きな凹凸のある湾曲する木口面をも綺麗に平滑化できる目止め剤の充填装置を提供することにある。
【課題を解決するための手段及び発明の効果】
【０００６】
本発明の目止め剤の充填装置は、板材１の湾曲面であって凹凸のある木口面１Ａに目止め剤２を充填して、板材１の木口面１Ａを平滑にする。目止め剤の充填装置は、目止め剤２を吐出口４から加圧状態で押し出す加圧器３と、この加圧器３の吐出口４に連結してなる吸盤５とを備える。充填装置は、この吸盤５を木口面１Ａに密着させる状態で、木口面１Ａと吸盤５のいずれか又は両方を、吸盤５が木口面１Ａに沿って移動するように移動して、板材１の木口面１Ａに目止め剤２を塗布して平滑面とする。
【０００７】
以上の充填装置は、大きな凹凸のあるパーチクルボードなどの湾曲する木口面を極めて能率よく、しかも綺麗に平滑化できる特徴がある。それは、吸盤が、その外周縁部を湾曲する木口面に密着させる状態で内部に加圧された目止め剤が充填されるからである。すなわち、吸盤で閉鎖された空間に加圧された目止め剤が押し出されて、木口面の凹部に速やかに充填される。さらに、外周縁部を木口面に密着させる吸盤は、これが木口面に沿って移動することで、充填された目止め剤の表面を平滑に均しながら移動する。このため、吸盤の内部に加圧された目止め剤を押し出しながら、これを木口面に沿って移動することで、木口面の凹部には目止め剤が充填され、さらに充填された目止め剤の表面は綺麗に平滑化される。さらに吸盤は、木口面に押圧されることで湾曲する木口面に密着する。したがって、湾曲する木口面に沿って移動させることで、この木口面に目止め剤を充填して綺麗な平滑面にできる。さらにまた、以上の充填装置は、吐出口に吸盤を連結するという極めて簡単な構造としながら、大きな凹凸のある湾曲する木口面をも綺麗に平滑化できる特徴を実現する。
【０００８】
本発明の目止め剤の充填装置は、木口面１Ａに凹凸のある板材１をパーチクルボードとすることができる。
以上の充填装置は、パーチクルボードの木口面に沿って吸盤を移動させながら、吸盤と木口面との間に加圧された目止め剤を吐き出して、パーチクルボードの木口面にできる大きな凹凸を綺麗に平滑化できる。このため、極めて安価なパーチクルボードを使用して、その木口面を簡単かつ容易に、しかも能率よく低コストに綺麗な平滑面に処理できる。
【０００９】
本発明の目止め剤の充填装置は、加圧器３が、目止め剤２を充填してなる加圧タンク６と、この加圧タンク６に加圧空気を供給するコンプレッサ７と、加圧タンク６に連結してなる開閉弁８を設けてなるグリップ９とを備えて、グリップ９の先端部に設けた吐出口４に吸盤５を連結することができる。
以上の充填装置は、グリップに設けた開閉弁を操作しながら、吸盤を木口面に沿って移動して、木口面に目止め剤を充填して平滑化できる。このため、特に能率よく木口面を綺麗な平滑化できる。
【図面の簡単な説明】
【００１０】
【図１】本発明の一実施例にかかる目止め剤の充填装置の概略構成図である。
【図２】図１に示す充填装置で板材の木口面に目止め剤を充填する状態を示す拡大斜視図である。
【図３】図１に示す充填装置で板材の木口面に目止め剤を充填する状態を示す拡大断面図である。
【図４】他の形状の板材に目止め剤を充填する状態を示す拡大断面図である。
【発明を実施するための形態】
【００１１】
以下、本発明の実施例を図面に基づいて説明する。ただし、以下に示す実施例は、本発明の技術思想を具体化するための板材の木口面に目止め剤を充填する装置を例示するものであって、本発明は充填装置を以下のものに特定しない。
【００１２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１３】
図１と図２に示す充填装置は、板材１の湾曲面であって凹凸のある木口面１Ａに目止め剤２を充填して、板材１の木口面１Ａを平滑にする。この充填装置は、目止め剤２を吐出口４から加圧状態で押し出す加圧器３と、この加圧器３の吐出口４に連結してなる吸盤５とを備える。
【００１４】
加圧器３は、目止め剤２を充填している加圧タンク６と、この加圧タンク６に加圧空気を供給するコンプレッサ７と、加圧タンク６に連結してなる開閉弁８を設けてなるグリップ９とを備える。
【００１５】
加圧タンク６は、加圧空気で加圧されたペースト状の目止め剤２を押し出す排出口１０を設けている。この排出口１０にはホース１５を連結している。ホース１５は、加圧タンク６をグリップ９に連結して、加圧された目止め剤２をグリップ９に供給する。さらに、加圧タンク６は、目止め剤２を充填できるように、上方の開口部をパッキン１１を介して脱着蓋１２で密閉している。脱着蓋１２は、フランジ１３をネジ止めして固定される。この加圧タンク６は、脱着蓋１２を開いて内部に目止め剤２を充填する。目止め剤２を加圧して押し出す状態で、脱着蓋１２で内部は気密に密閉される。さらに、加圧タンク６はコンプレッサ７に連結する空気ホース１６を連結するニップル１４を上部に固定している。このニップル１４には開閉弁１７を連結している。ニップル１４に連結される空気ホース１６は、コンプレッサ７に連結されて、加圧タンク６の内部に加圧空気を供給する。開閉弁１７は、脱着蓋１２を開くときに閉じられ、加圧タンク６に加圧空気を供給するときに開かれる。
【００１６】
加圧タンク６に充填される目止め剤２は、ウレタン樹脂系、エポキシ樹脂系、酢酸ビニル系、シリコン樹脂系などのバインダーに無機粉末を添加している。無機粉末には、炭酸カルシウム、炭酸マグネシウム等の粉末が使用される。無機粉末は、平均粒径を１μｍ〜１０μｍとする微粉末で、バインダーに添加されて粘度を高くしてペースト状とする。目止め剤２は、粘度が低すぎると木口面１Ａから板材１の内部に浸透して、木口面１Ａの凹部を塞ぐことができない。無機粉末を添加している目止め剤２は、添加する無機粉末によって粘度が高くなり、板材１の内部に浸透することなく、凹部に充填されて木口面１Ａを平滑化する。ただし、目止め剤は、必ずしも無機粉末を添加するものに特定しない。目止め剤は、無機粉末に代わって微細な繊維等を混合することもでき、また、添加剤を混合しないで所定の粘度のものは、添加剤を混合することなく使用できる。目止め剤２には、板材１の木口面１Ａに充填して平滑化できる全てのものが使用できる。したがって、目止め剤には、たとえば、加熱状態でペースト状で冷却して硬化するホットメルトなども使用できる。
【００１７】
図１と図２の充填装置は、グリップ９の後端に開閉弁８を設けて、この開閉弁８に連結している開閉レバー１８を前方に伸びるようにグリップ９側に設けている。開閉レバー１８は、グリップ９の後端から先端に向かって、グリップ９から離れる姿勢に傾斜している。グリップ９を握る手で開閉レバー１８を握ると、開閉弁８は開かれる。開閉レバー１８を握らない状態で開閉弁８は閉じられる。開閉レバー１８を握らない状態で、開閉弁８を閉じる位置に移動させるために、弾性体（図示せず）を設けている。ただし、弾性体を設けることなく、供給される目止め剤２の圧力で開閉弁８を閉じることもできる。
【００１８】
グリップ９の先端部には、吐出口４のノズル１９を突出させている。このノズル１９を吸盤５に挿入して、吐出口４に吸盤５を連結している。
【００１９】
吸盤５は、天然又は合成ゴムなどのゴム状弾性体で製作される。吸盤５は、外周縁に向かって次第に薄くしてなるカップ部５Ａと、このカップ部５Ａの外側面の中心部に、カップ部５Ａに一体的に固定するように設けている連結凸部５Ｂからなる。カップ部５Ａの直径は木口面１Ａの幅よりも大きく、吸盤５のカップ部５Ａが木口面１Ａに沿って移動されて、木口面１Ａの全幅に目止め剤２を充填して均等化する。木口面１Ａに目止め剤２を充填して平滑化される板材１の厚さは、一般的には１ｃｍ〜２ｃｍであるから、吸盤５のカップ部５Ａの直径は、たとえば３ｃｍ〜５ｃｍとして、ほとんどの板材１の木口面１Ａを平滑化できる。
【００２０】
図３の拡大断面図に示すように、カップ部５Ａは、内面をアーチ状に湾曲する凹部形状としている。カップ部５Ａは、湾曲している内面の曲率半径（Ｒ１）を、木口面１Ａが湾曲している曲率半径（Ｒ２）よりも小さくしている。カップ部５Ａの外周部を木口面１Ａの両側部に密着させて、カップ部５Ａの内部に加圧状態で供給される目止め剤２をカップ部５Ａの外部に漏らさないためである。吸盤５は、カップ部５Ａの外周部を木口面１Ａに密着する状態で、カップ部５Ａの内面と木口面１Ａとの間に目止め剤２を充填する隙間２０ができる。この隙間２０に加圧された目止め剤２を充填して、木口面１Ａの凹凸を平滑化するように目止め剤２が充填される。カップ部５Ａと木口面１Ａの間にできる隙間２０は、吸盤５を木口面１Ａに押圧する圧力でコントロールできる。カップ部５Ａを木口面１Ａに強く押圧すると、カップ部５Ａの内面が広い面積で木口面１Ａに密着して、隙間２０が狭くなる。カップ部５Ａ内面と木口面１Ａの隙間２０が狭くなる状態にあっては、この隙間２０に加圧して充填される目止め剤２が、連続する凹部を透過しながら隣の凹部に充填される。したがって、カップ部５Ａの内面を木口面１Ａに密着させる状態で、目止め剤２を木口面１Ａに充填して平滑化することもできる。とくに、パーチクルボードのように多数の凹部のある木口面は、隣接する凹部が互いに連続する状態となるので、カップ部の内面を木口面に密着するように移動して、木口面にできる凹凸を綺麗な平滑面に処理できる。ＭＤＦのように凹凸の少ない木口面にあっては、カップ部を木口面に押圧する力をコントロールしながら、木口面に沿って移動して、木口面を目止め剤で平滑化できる。
【００２１】
また、吸盤５と木口面１Ａとの間に供給される目止め剤２の圧力を高くして、木口面１Ａの凹部に、より確実に目止め剤２を充填できる。高い圧力で供給される目止め剤２は、吸盤５のカップ部５Ａを木口面１Ａに密着させる状態で、カップ部５Ａの内面と木口面１Ａとの隙間２０に圧入されて、木口面１Ａの凹部に充填されて、木口面１Ａを綺麗な平滑面に処理する。
【００２２】
したがって、空気で加圧して目止め剤２を木口面１Ａに充填する装置は、加圧タンク６に供給する空気の圧力を、たとえば０．２ＭＰａ〜１ＭＰａ、好ましくは０．３ＭＰａ〜０．６ＭＰａとして、目止め剤２を、吸盤５と木口面１Ａとの隙間２０に充填する。
【００２３】
さらに、この充填装置は、図４に示すように、木口面１Ａが中央凹となる形状の板材１においても、吸盤５のカップ部５Ａの内面を木口面１Ａの内面に沿う形状に変形させて、カップ部５Ａの内面と木口面１Ａとの間に隙間２０を設けて目止め剤２を充填することができる。
【００２４】
以上の充填装置は、板材１を固定して吸盤５を移動し、あるいは反対に吸盤５を固定して板材１を移動し、あるいはまた、吸盤５と板材１の両方を移動することで、吸盤５を木口面１Ａに沿って移動させて、木口面１Ａを平滑面に処理する。
【００２５】
図１と図２の充填装置は、以下の方法で使用して、板材１の木口面１Ａを平滑化する。
（１）目止め剤２を充填している加圧タンク６を密閉して、コンプレッサ７で加圧空気を供給する。この状態で、グリップ９に設けている開閉弁８を閉弁する。
（２）開閉レバー１８を握ることなく、すなわち開閉弁８を閉じる状態でグリップ９を手で握り、吸盤５を木口面１Ａの一端部に密閉させる。
（３）その後、開閉レバー１８を握って吸盤５と木口面１Ａとの間に加圧された目止め剤２を供給して、木口面１Ａに目止め剤２を充填しながら、吸盤５を木口面１Ａに沿って移動させる。この状態で、図２の矢印で示すように、木口面１Ａに沿って移動する吸盤５は、木口面１Ａに目止め剤２を充填しながら平滑化する。
（４）吸盤５が木口面１Ａの終端部まで移動すると、開閉レバー１８を離して開閉弁８を閉じる。その後、吸盤５を木口面１Ａの終端部の外側に移動して、木口面１Ａの全面に目止め剤２を充填して平滑化する。
【符号の説明】
【００２６】
１…板材                  １Ａ…木口面
２…目止め剤
３…加圧器
４…吐出口
５…吸盤                  ５Ａ…カップ部
５Ｂ…連結凸部
６…加圧タンク
７…コンプレッサ
８…開閉弁
９…グリップ
１０…排出口
１１…パッキン
１２…脱着蓋
１３…フランジ
１４…ニップル
１５…ホース
１６…ホース
１７…開閉弁
１８…開閉レバー
１９…ノズル
２０…隙間
【図１】
2010158847.tif 000003
【図２】
2010158847.tif 000004
【図３】
2010158847.tif 000005
【図４】
2010158847.tif 000006